(57)【要約】【課題】フラッシュメモリ内の制御プログラムの書き換え時に、ＲＡＭ上に表示プログラムを展開させる必要をなくし、ＲＡＭ領域を有効に使用でき、ＲＡＭ領域を節約できる光ディスク再生装置を提供する。【解決手段】操作部１９などからのプログラム書き換え指示があったときに、フラッシュメモリ１７２内の制御プログラムは、ＲＡＭ１７３上の展開用領域に展開され、次に、展開用領域のアドレスは表示用領域としてのアドレスに変更され、この後、表示用領域に変更された展開用領域のデータが読み出されて出力され、表示装置２１に表示される。したがって、表示プログラムをＲＡＭ１７３上に展開する必要がないので、ＲＡＭ領域を有効に使用でき、ＲＡＭ領域を節約することができる。【選択図】      図１
2004171640.tif 000002
【特許請求の範囲】
【請求項１】
光ディスクに記録された情報を光学的に読み取る光学系と、前記光ディスクを回転駆動するディスク駆動系と、前記光学系で読み取られた信号を所定処理して映像信号および音声信号を再生して表示装置および音響装置にそれぞれ供給する再生系とを備えた光ディスク再生装置において、前記各系を含む装置全体を制御するための制御プログラムを記憶したフラッシュメモリと、該フラッシュメモリから制御プログラムを読み出し該制御プログラムに従って装置全体を制御するＣＰＵと、該ＣＰＵの処理に必要なデータを一時的に格納するＲＡＭと有した制御部を備え、操作手段からのプログラム書き換え指示があったときに、前記制御プログラムを前記ＲＡＭ上の予め定めた展開用領域に展開するプログラム展開手段と、前記展開用領域のアドレスを変更して該展開用領域を前記表示装置への表示を行うための表示用領域に変更する展開用領域アドレス変更手段と、表示用領域に変更された前記展開用領域のデータを読み出して出力するＲＡＭデータ出力手段とを前記ＣＰＵに持たせ、または／および操作手段からのプログラム書き換え指示があったときに、前記制御プログラムを前記ＲＡＭ上の予め定めた展開用領域に展開するプログラム展開手段と、前記展開用領域のデータを前記表示装置への表示を行うための表示用領域にコピーするデータコピー手段と、前記表示用領域にコピーされたデータを読み出して出力するＲＡＭデータ出力手段とを前記ＣＰＵに持たせ、前記ＲＡＭデータ出力手段により読み出され出力されたデータを前記表示装置に表示させ、前記制御プログラムの書き換えを行うことを特徴とする光ディスク再生装置。
【請求項２】
光ディスクに記録された情報を再生する光ディスク再生装置において、装置全体を制御するための制御プログラムを記憶したフラッシュメモリと、該フラッシュメモリから制御プログラムを読み出し該制御プログラムに従って装置全体を制御するＣＰＵと、該ＣＰＵの処理に必要なデータを一時的に格納するＲＡＭと有し、操作手段からのプログラム書き換え指示があったときに、前記制御プログラムを前記ＲＡＭ上の予め定めた展開用領域に展開し、前記展開用領域のアドレスを変更して該展開用領域を前記表示装置への表示を行うための表示用領域に変更し、該展開用領域のデータを読み出して前記表示装置に表示させるための制御を行う制御部を備えたことを特徴とする光ディスク再生装置。
【請求項３】
光ディスクに記録された情報を再生する光ディスク再生装置において、装置全体を制御するための制御プログラムを記憶したフラッシュメモリと、該フラッシュメモリから制御プログラムを読み出し該制御プログラムに従って装置全体を制御するＣＰＵと、該ＣＰＵの処理に必要なデータを一時的に格納するＲＡＭと有し、操作手段からのプログラム書き換え指示があったときに、前記制御プログラムを前記ＲＡＭ上の予め定めた展開用領域に展開し、該展開用領域のデータを前記表示装置への表示を行うための表示用領域にコピーし、該表示用領域のデータを読み出して前記表示装置に表示させるための制御を行う制御部を備えたことを特徴とする光ディスク再生装置。
【請求項４】
前記制御部は、前記制御プログラムを前記ＲＡＭ上の予め定めた展開用領域に展開するプログラム展開手段と、前記展開用領域のアドレスを変更して該展開用領域を前記表示装置への表示を行うための表示用領域に変更する展開用領域アドレス変更手段と、表示用領域に変更された前記展開用領域のデータを読み出して出力するＲＡＭデータ出力手段とを備えたことを特徴とする請求項２に記載の光ディスク再生装置。
【請求項５】
前記制御部は、前記制御プログラムを前記ＲＡＭ上の予め定めた展開用領域に展開するプログラム展開手段と、前記展開用領域のデータを前記表示装置への表示を行うための表示用領域にコピーするデータコピー手段と、前記表示用領域にコピーされたデータを読み出して出力するＲＡＭデータ出力手段とを備えたことを特徴とする請求項３に記載の光ディスク再生装置。
【請求項６】
前記プログラム展開手段と前記展開用領域アドレス変更手段と前記ＲＡＭデータ出力手段を前記ＣＰＵに持たせることを特徴とする請求項４に記載のディスク再生装置。
【請求項７】
前記プログラム展開手段と前記データコピー手段と前記ＲＡＭデータ出力手段を前記ＣＰＵに持たせることを特徴とする請求項５に記載のディスク再生装置。
【発明の詳細な説明】
【０００１】
【発明の属する技術分野】
本発明は光ディスクに記録された情報を再生する光ディスク再生装置に関し、特に、装置全体を制御する制御部の制御プログラムを書き換えるためにメモリ内容を表示装置に表示できる機能を備えた光ディスク再生装置に関する。
【０００２】
【従来の技術】
近年、記録媒体としてＤＶＤ（ｄｉｇｉｔａｌ  ｖｅｒｓａｔｉｌｅ  ｄｉｓｋ）を用い、そのＤＶＤに記録された映像音声情報を再生する光ディスク再生装置が普及してきている。このような光ディスク再生装置は、従来から知られているように、装置全体を制御するための制御プログラムを記憶した書き換え可能なフラッシュメモリと、該フラッシュメモリから制御プログラムを読み出し該制御プログラムに従って装置全体を制御するＣＰＵと、該ＣＰＵの処理に必要なデータを一時的に格納するＲＡＭと有した制御部を備えており、メディアや機能の変更、あるいは新しいメディアや機能の追加をする必要が生じた場合、前記フラッシュメモリ内の制御プログラムを書き換えて、それに対処している。
【０００３】
従来の光ディスク再生装置においては、フラッシュメモリには、装置全体を制御するための制御プログラムの他に、ＲＡＭのデータを表示装置に表示するための表示プログラムが記憶されており、制御プログラムの書き換え時に、フラッシュメモリの内容を全部消去しなければならないので、フラッシュメモリの内容を全部消去する前に、ＲＡＭ上に制御プログラムと表示プログラムを展開させ、表示プログラムに従って制御プログラムのデータを表示装置に表示させ、制御プログラムの書き換えを行っている。
【０００４】
【特許文献１】
特開２０００−３１６８号公報
【０００５】
【発明が解決しようとする課題】
しかしながら、前述したように従来の光ディスク再生装置においては、フラッシュメモリ内の制御プログラムの書き換え時に、フラッシュメモリの内容を全部消去する前に、ＲＡＭ上に制御プログラムの他に表示プログラムも展開させることになるので、表示プログラムを展開させるＲＡＭ上の領域が多く使われ、制御プログラムの書き換えのために余分なＲＡＭ領域が必要となり、ＲＡＭ領域を有効に使用できないと言う課題が生じる。
【０００６】
なお、特許文献１に記載のフォント描画方法及び装置は、ビデオ用メモリの空き領域に新たにフォントイメージ記憶領域を設定し、このフォントイメージ記憶領域に、予め使用する文字種のフォントイメージ群を予め書き込んでおき、文字の表示に際しては、ビデオ用メモリのフォントイメージ記憶領域から出力イメージ記憶領域へフォントデータを複写することにより、出力すべきイメージデータを生成するようになっており、描画速度の向上を図るものであり、フラッシュメモリに記憶された制御プログラムの書き換えの際に、データを表示装置に表示するものではない。
【０００７】
本発明は上記のような課題を解決するためになされたもので、フラッシュメモリ内の制御プログラムの書き換え時に、ＲＡＭ上に表示プログラムを展開させる必要をなくし、ＲＡＭ領域を有効に使用でき、ＲＡＭ領域を節約できる光ディスク再生装置を提供することを目的とする。
【０００８】
【課題を解決するための手段】
上記目的を達成するために請求項１の発明は、光ディスクに記録された情報を光学的に読み取る光学系と、前記光ディスクを回転駆動するディスク駆動系と、前記光学系で読み取られた信号を所定処理して映像信号および音声信号を再生して表示装置および音響装置にそれぞれ供給する再生系とを備えた光ディスク再生装置において、前記各系を含む装置全体を制御するための制御プログラムを記憶したフラッシュメモリと、該フラッシュメモリから制御プログラムを読み出し該制御プログラムに従って装置全体を制御するＣＰＵと、該ＣＰＵの処理に必要なデータを一時的に格納するＲＡＭと有した制御部を備え、操作手段からのプログラム書き換え指示があったときに、前記制御プログラムを前記ＲＡＭ上の予め定めた展開用領域に展開するプログラム展開手段と、前記展開用領域のアドレスを変更して該展開用領域を前記表示装置への表示を行うための表示用領域に変更する展開用領域アドレス変更手段と、表示用領域に変更された前記展開用領域のデータを読み出して出力するＲＡＭデータ出力手段とを前記ＣＰＵに持たせ、または／および操作手段からのプログラム書き換え指示があったときに、前記制御プログラムを前記ＲＡＭ上の予め定めた展開用領域に展開するプログラム展開手段と、前記展開用領域のデータを前記表示装置への表示を行うための表示用領域にコピーするデータコピー手段と、前記表示用領域にコピーされたデータを読み出して出力するＲＡＭデータ出力手段とを前記ＣＰＵに持たせ、前記ＲＡＭデータ出力手段により読み出され、出力されたデータを前記表示装置に表示させ、前記制御プログラムの書き換えを行うことを特徴とする光ディスク再生装置を提供する。
【０００９】
この構成の光ディスク再生装置において、操作手段からのプログラム書き換え指示があったときに、フラッシュメモリに記憶されている制御プログラムは、ＲＡＭ上の予め定めた展開用領域に展開され、次に、前記展開用領域のアドレスは前記表示装置への表示を行うための表示用領域としてのアドレスに変更され、この後、表示用領域に変更された前記展開用領域のデータが読み出されて出力され表示装置に表示される。これにより、表示装置に表示されたデータを見ながら、制御プログラムの書き換えが可能になる。
【００１０】
また、操作手段からのプログラム書き換え指示があったときに、フラッシュメモリに記憶されている制御プログラムは、ＲＡＭ上の予め定めた展開用領域に展開され、次に、前記展開用領域のデータは表示装置への表示を行うための表示用領域にコピーされ、この後、前記表示用領域にコピーされたデータが読み出されて出力され、表示装置に表示される。これにより、表示装置に表示されたデータを見ながら、制御プログラムの書き換えが可能になる。
【００１１】
したがって、この構成の光ディスク再生装置によれば、フラッシュメモリ内の制御プログラムの書き換え時に、ＲＡＭ上に表示プログラムを展開しなくても制御プログラムのデータを表示装置に表示できるので、表示プログラムを展開するＲＡＭ上の領域が不要となり、これにより、ＲＡＭ領域を有効に使用でき、ＲＡＭ領域を節約することができる。
【００１２】
請求項２の発明は、光ディスクに記録された情報を再生する光ディスク再生装置において、装置全体を制御するための制御プログラムを記憶したフラッシュメモリと、該フラッシュメモリから制御プログラムを読み出し該制御プログラムに従って装置全体を制御するＣＰＵと、該ＣＰＵの処理に必要なデータを一時的に格納するＲＡＭと有し、操作手段からのプログラム書き換え指示があったときに前記制御プログラムを前記ＲＡＭ上の予め定めた展開用領域に展開し、前記展開用領域のアドレスを変更して該展開用領域を前記表示装置への表示を行うための表示用領域に変更し、該展開用領域のデータを読み出して前記表示装置に表示させるための制御を行う制御部を備えたことを特徴とする光ディスク再生装置を提供する。
【００１３】
この構成の光ディスク再生装置において、操作手段からのプログラム書き換え指示があったときに、フラッシュメモリに記憶されている制御プログラムは、ＲＡＭ上の予め定めた展開用領域に展開され、次に、前記展開用領域のアドレスは前記表示装置への表示を行うための表示用領域としてのアドレスに変更され、この後、表示用領域に変更された前記展開用領域のデータが読み出されて出力され表示装置に表示される。これにより、表示装置に表示されたデータを見ながら、制御プログラムの書き換えが可能になる。
【００１４】
したがって、この構成の光ディスク再生装置によれば、フラッシュメモリ内の制御プログラムの書き換え時に、ＲＡＭ上に表示プログラムを展開しなくても制御プログラムのデータを表示装置に表示できるので、表示プログラムを展開するＲＡＭ上の領域が不要となり、これにより、ＲＡＭ領域を有効に使用でき、ＲＡＭ領域を節約することができる。
【００１５】
請求項３の発明は、光ディスクに記録された情報を再生する光ディスク再生装置において、装置全体を制御するための制御プログラムを記憶したフラッシュメモリと、該フラッシュメモリから制御プログラムを読み出し該制御プログラムに従って装置全体を制御するＣＰＵと、該ＣＰＵの処理に必要なデータを一時的に格納するＲＡＭと有し、操作手段からのプログラム書き換え指示があったときに前記制御プログラムを前記ＲＡＭ上の予め定めた展開用領域に展開し、該展開用領域のデータを前記表示装置への表示を行うための表示用領域にコピーし、該表示用領域のデータを読み出して前記表示装置に表示させるための制御を行う制御部を備えたことを特徴とする光ディスク再生装置を提供する。
【００１６】
この構成の光ディスク再生装置において、操作手段からのプログラム書き換え指示があったときに、フラッシュメモリに記憶されている制御プログラムは、ＲＡＭ上の予め定めた展開用領域に展開され、次に、前記展開用領域のデータは表示装置への表示を行うための表示用領域にコピーされ、この後、前記表示用領域にコピーされたデータが読み出されて出力され、表示装置に表示される。これにより、表示装置に表示されたデータを見ながら制御プログラムの書き換えが可能になる。
【００１７】
したがって、この構成の光ディスク再生装置によれば、フラッシュメモリ内の制御プログラムの書き換え時に、ＲＡＭ上に表示プログラムを展開しなくても制御プログラムのデータを表示装置に表示できるので、表示プログラムを展開するＲＡＭ上の領域が不要となり、これにより、ＲＡＭ領域を有効に使用でき、ＲＡＭ領域を節約することができる。
【００１８】
請求項４の発明では、請求項２における制御部は、制御プログラムをＲＡＭ上の予め定めた展開用領域に展開するプログラム展開手段と、前記展開用領域のアドレスを変更して該展開用領域を表示装置への表示を行うための表示用領域に変更する展開用領域アドレス変更手段と、表示用領域に変更された前記展開用領域のデータを読み出して出力するＲＡＭデータ出力手段とを備えたので、表示用領域に変更された展開用領域のデータを読み出して出力することができ、これにより、表示装置には制御プログラムのデータを表示することができる。
【００１９】
請求項５の発明では、請求項３における制御部は、制御プログラムをＲＡＭ上の予め定めた展開用領域に展開するプログラム展開手段と、前記展開用領域のデータを表示装置への表示を行うための表示用領域にコピーするデータコピー手段と、前記表示用領域にコピーされたデータを読み出して出力するＲＡＭデータ出力手段とを備えたので、表示用領域にコピーされた展開用領域のデータを読み出して出力することができ、これにより、表示装置には制御プログラムのデータを表示することができる。
【００２０】
請求項６の発明では、請求項４におけるプログラム展開手段と展開用領域アドレス変更手段とＲＡＭデータ出力手段をＣＰＵに持たせたので、これらの手段を回路の追加なしで実現することができる。
【００２１】
請求項７の発明では、請求項５におけるプログラム展開手段とデータコピー手段とＲＡＭデータ出力手段をＣＰＵに持たせたので、これらの手段を回路の追加なしで実現することができる。
【００２２】
【発明の実施の形態】
以下、添付図面を参照しつつ、本発明の実施の形態について説明する。図１は本発明の一実施形態に係る光ディスク再生装置の構成を示すブロック図である。この光ディスク再生装置は、光ディスクに記録された情報を光学的に読み取る光学系と、前記光ディスクを回転駆動するディスク駆動系と、前記光学系で読み取られた信号を所定処理して映像信号および音声信号を再生して表示装置および音響装置にそれぞれ供給する再生系と、前記各系を含む装置全体を制御する制御部を備えている。
【００２３】
詳しくは、この光ディスク再生装置は、記録媒体としての光ディスク１に記録された情報を再生するためのレーザ光を出射すると共に、光ディスク１からの反射光を受光する光ピックアップ３と、光ディスク１を回転させるスピンドルモータ２と、スピンドルモータ２を駆動するスピンドルドライブ回路１５と、光ピックアップ３のトラッキングサーボを行うアクチュエータ（図示せず）を駆動するトラッキングドライブ回路１３と、光ピックアップ３のフォーカスサーボを行うアクチュエータ（図示せず）を駆動するフォーカスドライブ回路１２と、光ピックアップ３を光ディスク１の半径方向に移動させるためのスレッド４と、スレッド４を駆動するスレッドドライブ回路１４とを備えている。
【００２４】
また、この光ディスク再生装置は、光ディスク１の再生時に光ピックアップ３からの再生信号を入力して該再生信号よりＲＦ（ｒａｄｉｏ  ｆｒｅｑｕｅｎｃｙ）信号を作成して増幅するＲＦアンプ５と、ＲＦアンプ５からのＲＦ信号を入力してデータと同期信号を分離するデータ／同期信号分離回路６と、前記分離された同期信号を入力して該同期信号と予め定めた基準信号との位相差に応じた電圧を作成し該電圧をスピンドルモータ２へのモータ制御信号として出力するＶＣＯ（ｖｏｌｔａｇｅ  ｃｏｎｔｒｏｌｌｅｄ  ｏｓｃｉｌｌａｔｏｒ）を含むＰＬＬ（ｐｈａｓｅ  ｌｏｃｋｅｄ  ｌｏｏｐ）１０と、前記分離されたデータを入力してデコード化することによりエラーチェックを行い、データに誤りがある場合はエラー訂正を行って正しいデータとし、この正しいデータをデコード化して映像データと音声データとして出力するデコード回路７と、デコード回路７からの映像データと音声データを入力してデジタル／アナログ変換しアナログの映像信号と音声信号を出力するＤ／Ａ変換回路１６とを備えている。
【００２５】
このＤ／Ａ変換回路１６からの映像信号は表示装置２１に供給され、音声信号は音響装置２２に供給される。なお、表示装置２１と音響装置２２は、例えば、テレビジョン受信機のように表示装置と音響装置が内蔵され、一体化したものでも良い。
【００２６】
更に、この光ディスク再生装置は、光ピックアップ３からの再生信号に含まれるトラッキングエラー信号を検出するトラッキングエラー検出回路８と、光ピックアップ３からの再生信号に含まれるフォーカスエラー信号を検出するフォーカスエラー検出回路１１と、トラッキングエラー検出回路８からのトラッキングエラー信号に基づいてトラッククロスを検出してトラックパルスを出力するトラッククロス検出回路９とを備えている。
【００２７】
更に、この光ディスク再生装置は、装置全体を制御する制御部１７が備えられている。制御部１７は、装置全体を制御するための制御プログラムを記憶したフラッシュメモリ１７２と、該フラッシュメモリ１７２から制御プログラムを読み出し該制御プログラムに従って装置全体を制御するＣＰＵ１７５と、該ＣＰＵ１７５の処理に必要なデータを一時的に格納するＲＡＭ１７３と、入力信号を受け付けＣＰＵ１７５に入力する入力ポート１７１と、ＣＰＵ１７５からの信号を出力する出力ポート１７４とを備えている。なお、入力ポート１７１と出力ポート１７４は別々に設けたが、入力ポートと出力ポートが一体化された入出力ポートを設けても良い。
【００２８】
制御部１７には、データ／同期信号分離回路６、トラッキングエラー検出回路８、トラッククロス検出回路９、フォーカスエラー検出回路１１、フォーカスドライブ回路１２、トラッキングドライブ回路１３、スレッドドライブ回路１４、スピンドルドライブ回路１５、ＰＬＬ１０、表示処理回路１８、および操作部１９が接続されている。その操作部１９は、複数のキーを有しており、キーを操作すると、操作したキーに対応する電気信号を出力し、また、リモコン２０からのキー操作による光信号を受信したとき、この光信号を電気信号に変換し、この電気信号を出力するように構成されている。
【００２９】
制御部１７に備えられているＣＰＵ１７５は、本実施形態の特徴として、操作部１９またはリモコン２０からのプログラム書き換え指示があったときに、フラッシュメモリ１７２に記憶されている制御プログラムをＲＡＭ１７３上の予め定めた展開用領域に展開するプログラム展開手段と、前記展開用領域のアドレスを変更して該展開用領域を表示装置２１への表示を行うための表示用領域に変更する展開用領域アドレス変更手段と、表示用領域に変更された前記展開用領域のデータを読み出して出力するＲＡＭデータ出力手段とを備えている。
【００３０】
図２は本実施形態に係る光ディスク再生装置において制御プログラムを書き換えるまでの処理を説明するためのフローチャートである。また、図３は本実施形態において表示用領域の変更処理を説明するためのＲＡＭの記憶領域図である。以下、図１、図２および図３を参照して、この光ディスク再生装置における制御プログラムを書き換えるまでの処理について説明する。
【００３１】
操作部１９またはリモコン２０からのプログラム書き換え指示があったとき、操作部１９から出力されたプログラム書き換え指示信号は、制御部１７において入力ポート１７１を介してＣＰＵ１７５に入力され、これにより、ＣＰＵ１７５は、フラッシュメモリ１７２内の制御プログラムを書き換えるための処理を開始し（ステップＳ１）、  フラッシュメモリ１７２に記録されている制御プログラムを読み出してＲＡＭ１７３上に展開する（ステップＳ２）。  例えば、図３に示すようにＲＡＭ１７３上の展開用領域３２，３３，３４に制御プログラムのデータを展開して格納する。
【００３２】
次に、ＣＰＵ１７５は、操作部１９またはリモコン２０からのアドレス変更指示に従って、ＲＡＭ１７３上の展開用領域のアドレスを変更して該展開用領域を表示装置２１への表示を行うための表示用領域に変更する（ステップＳ３）。  例えば、図３に示すようにＲＡＭ１７３上の展開用領域３２，３３，３４のアドレスを表示用領域３１のアドレスに変更する。展開用領域３２のアドレスを表示用領域３１のアドレスに変更すれば、展開用領域３２は表示用領域となり、展開用領域３２のデータＡ（例えばライト中のデータ）は表示可能になる。また、展開用領域３３のアドレスを表示用領域３１のアドレスに変更すれば、展開用領域３３は表示用領域となり、展開用領域３３のデータＢ（例えばベリファイ中のデータ）は表示可能になる。また、展開用領域３４のアドレスを表示用領域３１のアドレスに変更すれば、展開用領域３４は表示用領域となり、展開用領域３４のデータＣ（例えばＯＫのデータ）は表示可能になる。
【００３３】
このようにしてＲＡＭ１７３上の展開用領域が表示用領域に変更された後、ＣＰＵ１７５は、ＲＡＭ１７３上の展開用領域のデータを読み出し、出力ポート１７４を介して表示処理回路１８に供給する。なお、ＲＡＭ１７３上のどの展開用領域を表示用領域とするかは、操作者が操作部１９またはリモコン２０を操作して指定できる。
【００３４】
表示処理回路１８に入力されたデータは、画面上で数字や文字で表示できるような形式のデータに変換処理され、更にＤ／Ａ変換回路１６によりアナログの映像信号に変換され、この映像信号による映像（制御プログラムのデータ）が表示装置２１に表示される（ステップＳ４）。
【００３５】
そして、この表示装置２１に表示されたデータを見た操作者は、データを書き換える必要がある場合は（ステップＳ５）、  そのデータを書き換え（ステップＳ６）、  次のデータを表示させる場合は、ステップＳ７からステップＳ３に戻り、ＣＰＵ１７５は、ＲＡＭ１７３上の次の展開用領域のアドレスを変更して、該展開用領域を表示装置２１への表示を行うための表示用領域に変更する（ステップＳ３）。
【００３６】
例えば、図３に示すように前回は展開用領域３２が表示用領域に変更され、データＡが表示されたとすると、今回は展開用領域３３が表示用領域に変更され、データＢが表示されることになる。なお、例えば、展開用領域３２，３３の両方を同時に表示用領域に変更した場合は、展開用領域３２，３３のデータが同時に表示可能になる。
【００３７】
そして、ＲＡＭ１７３上で制御プログラムの書き換えが完了すると（ステップＳ８）、  操作部１９またはリモコン２０の操作に応答したＣＰＵ１７５の制御によって、フラッシュメモリ１７２に記録されている制御プログラムを消去し（ステップＳ９）、  ＲＡＭ１７３上で書き換えられた制御プログラムをフラッシュメモリ１７２に書き込む（ステップＳ１０）。  これにより、フラッシュメモリ１７２内の制御プログラムは書き換えられたことになる。
【００３８】
以上説明した実施形態によれば、フラッシュメモリ１７２内の制御プログラムの書き換え時に、ＲＡＭ１７３上に表示プログラムを展開しなくても制御プログラムのデータを表示装置２１に表示できるので、表示プログラムを展開するＲＡＭ１７３上の領域が不要となり、これにより、ＲＡＭ領域を有効に使用でき、ＲＡＭ領域を節約することができる。
【００３９】
図４は他の実施形態に係る光ディスク再生装置において制御プログラムを書き換えるまでの処理を説明するためのフローチャートである。また、図５は本実施形態において展開用領域のデータを表示用領域にコピーする処理を説明するためのＲＡＭの記憶領域図である。以下、図１、図４および図５を参照して、この光ディスク再生装置における制御プログラムを書き換えるまでの処理について説明する。
【００４０】
本実施形態におけるＣＰＵ１７５は、フラッシュメモリ１７２に記憶されている制御プログラムをＲＡＭ１７３上の予め定めた展開用領域に展開するプログラム展開手段と、前記展開用領域のデータを表示装置２１への表示を行うための表示用領域にコピーするデータコピー手段と、前記表示用領域にコピーされたデータを読み出して出力するＲＡＭデータ出力手段とを備えている。その他の構成は前述した実施形態と同じであるので、説明を省略する。
【００４１】
操作部１９またはリモコン２０からのプログラム書き換え指示があったとき、操作部１９から出力されたプログラム書き換え指示信号は、制御部１７において入力ポート１７１を介してＣＰＵ１７５に入力され、これにより、ＣＰＵ１７５は、フラッシュメモリ１７２内の制御プログラムを書き換えるための処理を開始し（ステップＳ１１）、  フラッシュメモリ１７２に記録されている制御プログラムを読み出してＲＡＭ１７３上に展開する（ステップＳ１２）。  例えば、図５に示すようにＲＡＭ１７３上の展開用領域５２，５３，５４に制御プログラムのデータを展開して格納する。
【００４２】
次に、ＣＰＵ１７５は、操作部１９またはリモコン２０からのデータコピー指示に従って、ＲＡＭ１７３上の展開用領域のデータを表示装置２１への表示を行うための表示用領域にコピーする（ステップＳ１３）。  例えば、図５に示すようにＲＡＭ１７３上の展開用領域５２，５３，５４のデータを表示用領域５１にコピーする。展開用領域５２のデータＡ（例えばライト中のデータ）を表示用領域５１にコピーすれば、データＡは表示可能になる。また、展開用領域５３のデータＢ（例えばベリファイ中のデータ）を表示用領域５１にコピーすれば、データＢは表示可能になる。また、展開用領域５４のデータＣ（例えばＯＫのデータ）を表示用領域５１にコピーすれば、データＣは表示可能になる。
【００４３】
このようにしてＲＡＭ１７３上の展開用領域のデータが表示用領域にコピーされた後、ＣＰＵ１７５は、ＲＡＭ１７３上の表示用領域のデータを読み出し、出力ポート１７４を介して表示処理回路１８に供給する。なお、ＲＡＭ１７３上のどの展開用領域のデータを表示用領域にコピーするかは、操作者が操作部１９またはリモコン２０を操作して指定できる。
【００４４】
表示処理回路１８に入力されたデータは、画面上で数字や文字で表示できるような形式のデータに変換処理され、更にＤ／Ａ変換回路１６によりアナログの映像信号に変換され、この映像信号による映像（制御プログラムのデータ）が表示装置２１に表示される（ステップＳ１４）。
【００４５】
そして、この表示装置２１に表示されたデータを見た操作者は、データを書き換える必要がある場合は（ステップＳ１５）、  そのデータを書き換え（ステップＳ１６）、  次のデータを表示させる場合は、ステップＳ１７からステップＳ１３に戻り、ＣＰＵ１７５は、ＲＡＭ１７３上の次の展開用領域のデータを表示用領域にコピーする（ステップＳ１３）。
【００４６】
例えば、図５に示すように前回は展開用領域５２のデータＡが表示用領域５１にコピーされ、データＡが表示されたとすると、今回は展開用領域５３のデータＢが表示用領域５１にコピーされ、データＢが表示されることになる。なお、例えば、展開用領域５２，５３の両方のデータＡ，Ｂを表示用領域５１にコピーした場合は、データＡ，Ｂが同時に表示可能になる。
【００４７】
そして、ＲＡＭ１７３上で制御プログラムの書き換えが完了すると（ステップＳ１８）、  操作部１９またはリモコン２０の操作に応答したＣＰＵ１７５の制御によって、フラッシュメモリ１７２に記録されている制御プログラムを消去し（ステップＳ１９）、  ＲＡＭ１７３上で書き換えられた制御プログラムをフラッシュメモリ１７２に書き込む（ステップＳ２０）。  これにより、フラッシュメモリ１７２内の制御プログラムは書き換えられたことになる。
【００４８】
以上説明した実施形態によれば、フラッシュメモリ１７２内の制御プログラムの書き換え時に、ＲＡＭ１７３上に表示プログラムを展開しなくても制御プログラムのデータを表示装置２１に表示できるので、表示プログラムを展開するＲＡＭ１７３上の領域が不要となり、これにより、ＲＡＭ領域を有効に使用でき、ＲＡＭ領域を節約することができる。
【００４９】
なお、先に説明した実施形態では、プログラム展開手段と展開用領域アドレス変更手段とＲＡＭデータ出力手段とをＣＰＵ１７５に持たせ、後で説明した実施形態では、プログラム展開手段とデータコピー手段とＲＡＭデータ出力手段とをＣＰＵ１７５に持たせたが、１台の光ディスク再生装置において、プログラム展開手段と展開用領域アドレス変更手段とデータコピー手段とＲＡＭデータ出力手段とをＣＰＵ１７５に持たせ、展開用領域のアドレス変更処理または／およびデータコピー処理を実行できるようにしても良い。
【００５０】
【発明の効果】
以上のように請求項１の発明によれば、操作手段からのプログラム書き換え指示があったときに、フラッシュメモリに記憶されている制御プログラムは、ＲＡＭ上の予め定めた展開用領域に展開され、次に、前記展開用領域のアドレスは前記表示装置への表示を行うための表示用領域としてのアドレスに変更され、この後、表示用領域に変更された前記展開用領域のデータが読み出されて出力され、表示装置に表示されるので、表示装置に表示されたデータを見ながら、制御プログラムの書き換えが可能になる。
【００５１】
また、操作手段からのプログラム書き換え指示があったときに、フラッシュメモリに記憶されている制御プログラムは、ＲＡＭ上の予め定めた展開用領域に展開され、次に、前記展開用領域のデータは表示装置への表示を行うための表示用領域にコピーされ、この後、前記表示用領域にコピーされたデータが読み出されて出力され、表示装置に表示されるので、表示装置に表示されたデータを見ながら、制御プログラムの書き換えが可能になる。
【００５２】
したがって、フラッシュメモリ内の制御プログラムの書き換え時に、ＲＡＭ上に表示プログラムを展開しなくても制御プログラムのデータを表示装置に表示できるので、表示プログラムを展開するＲＡＭ上の領域が不要となり、これによりＲＡＭ領域を有効に使用でき、ＲＡＭ領域を節約することができる。
【００５３】
請求項２の発明によれば、操作手段からのプログラム書き換え指示があったときに、フラッシュメモリに記憶されている制御プログラムは、ＲＡＭ上の予め定めた展開用領域に展開され、次に、前記展開用領域のアドレスは前記表示装置への表示を行うための表示用領域としてのアドレスに変更され、この後、表示用領域に変更された前記展開用領域のデータが読み出されて出力され、表示装置に表示されるので、表示装置に表示されたデータを見ながら、制御プログラムの書き換えが可能になる。
【００５４】
したがって、フラッシュメモリ内の制御プログラムの書き換え時に、ＲＡＭ上に表示プログラムを展開しなくても制御プログラムのデータを表示装置に表示できるので、表示プログラムを展開するＲＡＭ上の領域が不要となり、これによりＲＡＭ領域を有効に使用でき、ＲＡＭ領域を節約することができる。
【００５５】
請求項３の発明によれば、操作手段からのプログラム書き換え指示があったときに、フラッシュメモリに記憶されている制御プログラムは、ＲＡＭ上の予め定めた展開用領域に展開され、次に、前記展開用領域のデータは表示装置への表示を行うための表示用領域にコピーされ、この後、前記表示用領域にコピーされたデータが読み出されて出力され、表示装置に表示されるので、表示装置に表示されたデータを見ながら制御プログラムの書き換えが可能になる。
【００５６】
したがって、フラッシュメモリ内の制御プログラムの書き換え時に、ＲＡＭ上に表示プログラムを展開しなくても制御プログラムのデータを表示装置に表示できるので、表示プログラムを展開するＲＡＭ上の領域が不要となり、これによりＲＡＭ領域を有効に使用でき、ＲＡＭ領域を節約することができる。
【００５７】
請求項４の発明によれば、請求項２における制御部は、制御プログラムをＲＡＭ上の予め定めた展開用領域に展開するプログラム展開手段と、前記展開用領域のアドレスを変更して該展開用領域を表示装置への表示を行うための表示用領域に変更する展開用領域アドレス変更手段と、表示用領域に変更された前記展開用領域のデータを読み出して出力するＲＡＭデータ出力手段とを備えたので、表示用領域に変更された展開用領域のデータを読み出して出力することができ、これにより、表示装置には制御プログラムのデータを表示することができる。
【００５８】
請求項５の発明によれば、請求項３における制御部は、制御プログラムをＲＡＭ上の予め定めた展開用領域に展開するプログラム展開手段と、前記展開用領域のデータを表示装置への表示を行うための表示用領域にコピーするデータコピー手段と、前記表示用領域にコピーされたデータを読み出して出力するＲＡＭデータ出力手段とを備えたので、表示用領域にコピーされた展開用領域のデータを読み出して出力することができ、これにより、表示装置には制御プログラムのデータを表示することができる。
【００５９】
請求項６の発明によれば、請求項４におけるプログラム展開手段と展開用領域アドレス変更手段とＲＡＭデータ出力手段をＣＰＵに持たせたので、これらの手段を回路の追加なしで実現することができる。
【００６０】
請求項７の発明によれば、請求項５におけるプログラム展開手段とデータコピー手段とＲＡＭデータ出力手段をＣＰＵに持たせたので、これらの手段を回路の追加なしで実現することができる。
【図面の簡単な説明】
【図１】本発明の一実施形態に係る光ディスク再生装置の構成を示すブロック図である。
【図２】本発明の一実施形態に係る光ディスク再生装置において制御プログラムを書き換えるまでの処理を説明するためのフローチャートである。
【図３】本発明の一実施形態において表示用領域の変更処理を説明するためのＲＡＭの記憶領域図である。
【図４】本発明の他の実施形態に係る光ディスク再生装置において制御プログラムを書き換えるまでの処理を説明するためのフローチャートである。
【図５】本発明の他の実施形態において展開用領域のデータを表示用領域にコピーする処理を説明するためのＲＡＭの記憶領域図である。
【符号の説明】
１    光ディスク
２    スピンドルモータ（ディスク駆動系）
３    光ピックアップ（光学系）
５    ＲＦアンプ（再生系）
６    データ／同期信号分離回路（再生系）
７    デコード回路（再生系）
１６    Ｄ／Ａ変換回路（再生系）
１７    制御部
１９    操作部（操作手段）
２０    リモコン（操作手段）
２１    表示装置
２２    音響装置
１７２    フラッシュメモリ
１７３    ＲＡＭ
１７５    ＣＰＵ（プログラム展開手段、展開用領域アドレス変更手段、データコピー手段、ＲＡＭデータ出力手段）
【図１】
2004171640.tif 000003
【図２】
2004171640.tif 000004
【図３】
2004171640.tif 000005
【図４】
2004171640.tif 000006
【図５】
2004171640.tif 000007